(57)【要約】【課題】作業工程完了を認識して自動的に認証業務記録を作成すること。【解決手段】作業工程を監視する工程監視手段１ａと、作業記録を作成する記録作成手段５ａとを備え、前記工程監視手段１ａは、作業工程に使用する処理の起動と停止を検知して、該作業工程の開始と終了時刻を記録し、前記記録作成手段５ａは、前記作業工程の開始と終了時刻を記録した作業記録に操作者の電子署名とタイムスタンプを付与して出力する。【選択図】        図１
2006113933.tif 000002
【特許請求の範囲】
【請求項１】
作業工程を監視する工程監視手段と、
作業記録を作成する記録作成手段とを備え、
前記工程監視手段は、作業工程に使用する処理の起動と停止を検知して、該作業工程の開始と終了時刻を記録し、
前記記録作成手段は、前記作業工程の開始と終了時刻を記録した作業記録に操作者の電子署名とタイムスタンプを付与して出力することを特徴とした認証業務記録作成装置。
【請求項２】
前記記録作成手段は、手作業の作業工程の開始と終了時刻を記録した作業記録を作成できるようにすることを特徴とした請求項１記載の認証業務記録作成装置。
【請求項３】
前記工程監視手段は、前工程が完了しないと次工程に進めないように制御することを特徴とした請求項１又は２記載の認証業務記録作成装置。
【請求項４】
作業工程に使用する処理の起動と停止を検知して、該作業工程の開始と終了時刻を記録する工程監視手段と、
前記作業工程の開始と終了時刻を記録した作業記録に操作者の電子署名とタイムスタンプを付与して出力する記録作成手段としてコンピュータを動作させるためのプログラム。
【発明の詳細な説明】
【技術分野】
【０００１】
本発明は、特定認証業務等の認証業務の工程完了を認識し、自動的に作業記録を作成することができる認証業務記録作成装置に関する。
【背景技術】
【０００２】
電子証明書は、ネット社会における印鑑登録証明書ともいえるものであり、信頼のインフラとしての役割と機能を持つものである。このような電子証明書は、従来では行政機関の責任において発行・管理してきていた。電子証明書に対する信頼は、技術、セキュリティー、審査といった運用面のみならず、第三者機関である認証局自体に対する社会的な評価と信頼が基礎となっている。
【０００３】
電子入札などに対応するビジネスマン認証を担うビジネス認証サービスで発行される電子証明書は日本商工会議所が認証局として運用するものであり、この認証局がＩＣカードの発行、すなわち、ＩＣカードに電子証明書を書き込む業務（特定認証業務）を外部に委託している（非特許文献１参照）。
【０００４】
特定認証業務では、「電子証明書及びその作成に関する記録を作成し、保存している」ことが必須要件となっている。現在、認定を受け実施している電子証明書のＩＣカードへの書き込み作業においては、作業者２名がペアを組み全工程で相互牽制による不正行為抑止かつ作業ミス防止を図り、作業結果をチェック表に記録し保管している。
【０００５】
各工程での相互牽制による作業チェック及び結果記録が人手となっているために、作業効率が極めて低いものとなっていた。また、電子証明書データ作成過程で一時的にデータがディスク上に平文で展開されており、特定認証業務要件からＯＳ（オペレーティングシステム）機能により作業者からのアクセスを遮断しているが、セキュリティが確保される反面、運用性・操作性を損なうこととなり、これも効率を低下させる要因となっていた。
【０００６】
図１１は従来例の説明図である。図１１において、例えば、特定認証業務の作業工程が工程１〜工程４あり、工程２〜工程４は暗号化されているが工程１〜工程２間でデータが平文で展開されている。この平文のデータへのアクセスはＯＳ機能によりロックされている。作業記録は、工程１のチェック、工程２のチェック、工程３のチェック、工程４のチェック等のようにそれぞれの作業工程の終了時に手書きで作成されていた。
【非特許文献１】ビジネス認証サービスホームページ、［２００３年６月６日検索        ］インターネット＜ＵＲＬ：http://ca.jcci.or.jp/service/index.html ＞
【発明の開示】
【発明が解決しようとする課題】
【０００７】
前記従来のものは、次のような課題があった。
【０００８】
（１）作業チェックと作業記録が全て人手となり作業効率が低下するものであった（１サイクル実施に約40分かかっていた）。
【０００９】
（２）証明書データが一時的にディスク上に平文で展開されるため、ＯＳ機能によりアクセスを遮断しているが、これにより操作性、運用性を損なう結果となっていた。すなわち、必要機能、データのみにアクセスを限定する為、他操作が全くできなくなっていた（完全ロック状態）。また、システム環境変更の際、ＯＳによるロック前のバックアップを戻す必要があった（退避／復元が二重となる）。
【００１０】
本発明は、このような状況において、各工程の監視、作業結果の記録、工程間でのデータ暗号化をシステム化することにより作業効率化と情報セキュリティを両立させることを目的とする。
【課題を解決するための手段】
【００１１】
図１は本発明の原理説明図である。図１中、１ａは工程監視手段、５ａは記録作成手段、４ａは格納手段である。
【００１２】
本発明は、上記の課題を解決するため次のように構成した。
【００１３】
（１）：作業工程を監視する工程監視手段１ａと、作業記録を作成する記録作成手段５ａとを備え、前記工程監視手段１ａは、作業工程に使用する処理の起動と停止を検知して、該作業工程の開始と終了時刻を記録し、前記記録作成手段５ａは、前記作業工程の開始と終了時刻を記録した作業記録に操作者の電子署名とタイムスタンプを付与して出力する。このため、作業工程完了を認識して自動的に認証業務記録を作成することができる。
【００１４】
（２）：前記（１）の認証業務記録作成装置において、前記記録作成手段５ａは、手作業の作業工程の開始と終了時刻を記録した作業記録を作成できるようにする。このため、郵送のための封入・封緘等の手作業の作業記録も作成することができる。
【００１５】
（３）：前記（１）又は（２）の認証業務記録作成装置において、前記工程監視手段１ａは、前工程が完了しないと次工程に進めないように制御する。このため、手順がぬけるのを防止することができる。
【００１６】
（４）：作業工程に使用する処理の起動と停止を検知して、該作業工程の開始と終了時刻を記録する工程監視手段１ａと、前記作業工程の開始と終了時刻を記録した作業記録に操作者の電子署名とタイムスタンプを付与して出力する記録作成手段５ａとしてコンピュータを動作させるためのプログラムとする。このため、このプログラムをコンピュータにインストールするこで作業工程完了を認識して自動的に認証業務記録を作成することができる認証業務記録作成装置を容易に提供することができる。
【発明の効果】
【００１７】
本発明によれば次のような効果がある。
【００１８】
（１）：工程監視手段で、作業工程に使用する処理の起動と停止を検知して、該作業工程の開始と終了時刻を記録し、記録作成手段で、前記作業工程の開始と終了時刻を記録した作業記録に操作者の電子署名とタイムスタンプを付与して出力するため、作業工程完了を認識して自動的に認証業務記録を作成することができる。
【００１９】
（２）：記録作成手段で、手作業の作業工程の開始と終了時刻を記録した作業記録を作成できるようにするため、封入・封緘等の手作業の作業記録も作成することができる。
【００２０】
（３）：工程監視手段で、前工程が完了しないと次工程に進めないように制御するため、必要な手順がぬけるのを防止することができる。
【発明を実施するための最良の形態】
【００２１】
特定認証業務を行うには、認定の取得が必須要件である。認定の取得には、設備、ＩＴ技術、運用等に関する要件を満たす必要がある。例えば、ＩＣカード発行設備室には指紋認証された二人でないと入れないようにする、装置を操作するが暗号等を改ざんできないようにするためのソフトウェアを作成する、ＩＣカードに電子証明書を書き込むには一人が他者を牽制（監督）する等がある。また、電子証明書を作成した作成記録を残すことが求められる。
【００２２】
図１において、特定認証業務の作業工程が工程１〜工程４あり、工程１〜工程４の工程間は暗号化してデータの移動が行われる。工程１の実施者はＡで監視者はＢであり、工程２の実施者はＢで監視者はＡであり、工程３の実施者はＢで監視者はＡであり、工程４の実施者はＡで監視者はＢである。工程１から工程２へのデータの移動は、実施者Ａが監視者Ｂの公開鍵で暗号化して移動する。工程２では、実施者ＢがＢの秘密鍵で暗号を復元して作業を実施する。
【００２３】
認証業務記録作成装置である作業記録作成ツール１０には、工程監視手段１ａと記録作成手段５ａが設けてある。格納手段４ａには、特定認証業務の工程１〜工程４の進捗状況と工程の定義、完了条件、作業者の定義等が行われている。工程監視手段１ａでは格納手段４ａに格納された特定認証業務の工程１〜工程４の進捗状況の管理（工程監視）が行われており、各工程の開始、完了を自動的に認識して記録し、記録作成手段５ａで作業記録を作成して出力するものである。これにより、従来のＯＳ機能によるデータ保護から作業者運用証明書で暗号化して行うためシステム運用、操作性が向上する。また、作業記録が紙から電子ファイルで保管（記録作成手段５ａから電子ファイルで出力）でき、保管スペースが不要となる。
【００２４】
（１）：実際の作業の説明
図２は実作業の説明図である。図２において、特定認証業務であるＩＣカード発行作業の説明をする。ＩＣカード発行作業の実作業の設備には、公衆回線と接続されメールの送受信を行うメール端末１１、登録局の操作員が使用するためのＲＡＯ−Ｃ端末１２、ＲＡＯ−Ｃ端末１２とＬＡＮ接続されＩＣカードを個人情報化するＣＰＯ端末１３、作業を行う作業机１４が設けてある。
【００２５】
以下、図２の(1) 〜(17)に従って、ＩＣカード発行作業の実作業の説明をする。
【００２６】
(1) ＰＣ（パーソナルコンピュータ）であるメール端末１１を起動する。
【００２７】
(2) ＰＣであるＲＡＯ−Ｃ端末１２を起動する。
【００２８】
(3) ＰＣであるＣＰＯ端末１３を起動する。
【００２９】
(4) メール端末１１でＩＣカード発行指示のメール（個人情報）を受信する。
【００３０】
(5) メール端末１１で個人情報の印刷情報を退避（フレキシブルディスク等に出力）する。
【００３１】
(6) メール端末１１でメールを受信した確認（返信）のメールを送信する。
【００３２】
(7) ＣＰＯ端末１３で退避した個人情報を移入し印刷情報を復元する。
【００３３】
(8) ＲＡＯ−Ｃ端末１２でＣＡ局（認証局）と接続する。
【００３４】
(9) ＲＡＯ−Ｃ端末１２でＣＡ局から証明書ファイル（暗号）を取得する。
【００３５】
(10)ＲＡＯ−Ｃ端末１２でＣＡ局と接続する。
【００３６】
(11)ＲＡＯ−Ｃ端末１２でＣＡ局からＰＩＮ（Personal Identification Number）ファイルを取得する。
【００３７】
(12)ＣＰＯ端末１３で証明書の出力を行う。
【００３８】
(13)ＣＰＯ端末１３でＩＣカードのフォーマットに合わせた発行ファイルの出力を行う。
【００３９】
(14)ＣＰＯ端末１３で証明書が書き込まれたＩＣカードの発行を行う。
【００４０】
(15)ＣＰＯ端末１３で封入する葉書の住所等の封入物の印刷を行う。
【００４１】
(16)作業机１４で仕分け作業を行う。
【００４２】
(17)作業机１４で封入・封緘の作業を行う。
【００４３】
上記(1) 〜(17)の作業は、操作者２名の牽制により、互いの作業実施記録を専用用紙（台帳）に記録している。
【００４４】
（２）：認証業務記録作成装置の説明
認証業務記録作成装置である電子署名法／特定認証業務記録作成ツールは、次のような仕様（特徴）を有することが必要である。ａ：業務作業中に自動的に記録が作成されること。ｂ：手作業の記録も可能であること。ｃ：各作業開始及び終了時にタイムスタンプを記録できること（ＰＣ時刻より）。ｄ：前工程が完了しないと次工程に進めないように制御すること（可能な限り）。ｅ：最終工程完了時に作業記録簿ファイルにタイムスタンプ（ＴＳＡ：公的なタイムスタンプの認証局）と操作者署名を付与すること。
【００４５】
図３は業務モデルと認証業務記録作成装置の説明図であり、図３において、業務モデルとして、工程１〜工程６が示されている。工程１において、工程内容はメール受信、作業区分は手作業、実施者は操作者１、確認者は操作者２、設備はメール端末である。工程２において、工程内容は証明書ファイル取得、作業区分はソフト（プログラム）、実施者は操作者１、確認者は操作者２、設備はＲＡＯ−Ｃ端末である。工程３において、工程内容はＰＩＮファイル取得、作業区分はソフト、実施者は操作者２、確認者は操作者１、設備はＲＡＯ−Ｃ端末である。工程４において、工程内容は証明書出力、作業区分はソフト、実施者は操作者１／操作者２、確認者は操作者２／操作者１、設備はＲＡＯ−Ｃ端末である。ここで実施者と確認者が二人になっているのは証明書ファイルとＰＩＮファイルの出力を実施者と確認者が交代して行うためである。工程５において、工程内容はカード発行、作業区分はソフト、実施者は操作者１、確認者は操作者２、設備はＣＰＯ端末である。工程６において、工程内容は封入・封緘、作業区分は手作業、実施者は操作者２、確認者は操作者１、設備は作業机である。
【００４６】
認証業務記録作成装置には、監視モジュール１、個別記録モジュール２、３、記録手段４、記録作成モジュール５、署名モジュール６、タイムスタンプモジュール７が設けてある。監視モジュール１は、各端末（パソコン）上に常駐して監視できるようになっており、操作者による対象ソフトの起動、停止を検知して、その時刻を作業管理テーブルに記録する工程監視手段である。個別記録モジュール２、３は、操作者が入力した工程の開始、終了により、その時刻（ＰＣクロックより）を作業管理テーブルに記録するものである。記録手段４は、作業管理、工程、手順（作業工程の順番で前工程が終了していなければアラームを行う）、作業者、設備（端末の種類等）等のテーブルを格納する格納手段である。記録作成モジュール５は、一つの作業で最終工程が終了したら作業記録を作成する記録作成手段である。署名モジュール６は、操作者がＣＡ局から取得した鍵で作業記録データに対し署名を行う（操作者の秘密鍵で暗号化する）ものである。タイムスタンプモジュール７は、ネットワークを介して公的なタイムスタンプ認証局（ＴＳＡ）と接続して、タイムスタンプ付与済みの作業記録データを作成するものである。
【００４７】
図３の作業記録作成の動作は、個別記録モジュール２が工程１の作業開始と作業完了の入力を操作者２から受け、記録手段４の作業管理テーブルに記録する。監視モジュール１が、工程２〜工程５の対象ソフトの起動、停止を検知して作業開始と作業完了の時刻を作業管理テーブルに記録する。また、個別記録モジュール３が工程６の作業開始と作業完了の入力を操作者１から受け、記録手段４の作業管理テーブルに記録する。次に、記録作成モジュール５が、操作者の電子署名とタイムスタンプ付与済みの作業記録を作成して出力するものである。
【００４８】
（３）：各テーブルの説明
認証業務記録作成装置の記録手段に認証業務記録作成のためのテーブルが設けられる。以下、図４、図５に従って各テーブルの説明をする。
【００４９】
（ａ）工程テーブルの説明
図４はテーブルの説明図（１）であり、図４（ａ）は工程テーブルの説明である。図４（ａ）において、工程テーブルには、工程ＩＤ（識別子）、工程名称、作業区分、設備ＩＤ、実施者１、確認者１が設けてある。工程ＩＤは、工程を識別する１〜６の番号が設けてある。工程名称は、工程ＩＤに対応する名称が設けてある（図３参照）。作業区分は、１が手作業、２がソフト（プログラム）である（後述の作業区分テーブル参照）。設備ＩＤは、１がメール端末、２がＲＡＯ−Ｃ端末、３がＣＰＯ端末、４が作業机である（後述の設備テーブル参照）。実施者１は、その工程を実施する者の作業者ＩＤである（ここではＣＰＯ１とＣＰＯ２の二人）。確認者１は、その工程を確認する者の作業者ＩＤである（ここではＣＰＯ２とＣＰＯ１の二人）。なお、工程ＩＤ４の証明書出力では実施者１と確認者１が示されていない。これは次の図４（ｂ）のサブ工程テーブル参照。
【００５０】
（ｂ）サブ工程テーブルの説明
図４（ｂ）はサブ工程テーブルの説明である。図４（ｂ）において、サブ工程テーブルには、サブ工程ＩＤ、サブ工程名称、メイン工程ＩＤ、実施者１、確認者１が設けてある。サブ工程ＩＤには、サブ工程を識別する１１、１２の番号が設けてある。サブ工程名称には、サブ工程ＩＤに対応する名称が設けてある。メイン工程ＩＤは、サブ工程に対応するメインテーブルの工程を識別する番号（図４（ａ）の工程テーブルの工程ＩＤ参照）が設けてある。すなわち、証明書出力には、証明書ファイル出力とＰＩＮファイル出力のサブ工程があることがわかる。ここでサブ工程１１の証明書ファイル出力の実施者１がＣＰＯ１であり、確認者１がＣＰＯ２である。また、サブ工程１２のＰＩＮファイル出力の実施者１がＣＰＯ２であり、確認者１がＣＰＯ１である。
【００５１】
（ｃ）手順テーブルの説明
図４（ｃ）は手順テーブルの説明である。図４（ｃ）において、手順テーブルには、手順ＩＤと工程１〜工程１０が設けてある。ここで手順ＩＤ１は、工程１で工程ＩＤ（図４（ａ）の工程テーブルの工程ＩＤ参照）の１、工程２で工程ＩＤの２、工程３で工程ＩＤの３、工程４で工程ＩＤの４、工程５で工程ＩＤの５、工程６で工程ＩＤの６の順に工程を行うことが示されている。また、ここで手順ＩＤ２は、工程１で工程ＩＤの１、工程２で工程ＩＤの３、工程３で工程ＩＤの５、工程４で工程ＩＤの６の順に工程を行うことが示されている。
【００５２】
（ｄ）モジュールテーブルの説明
図４（ｄ）はモジュールテーブルの説明である。図４（ｄ）において、モジュールテーブルには、モジュールＩＤ、名称、識別名、絶対パスが設けてある。モジュールＩＤは、各工程で使用する処理、すなわち、モジュール（ソフト）を識別する番号である。名称は、モジュールＩＤの名前である。識別名は、モジュールを識別するための記号である。絶対パスは、モジュール（プログラム＝ソフト）が格納されたディスク上の格納位置を示す情報である（監視モジュールがこのソフトの立上がり、終了の時刻を記録する）。
【００５３】
（ｅ）工程／モジュール関連テーブルの説明
図４（ｅ）は工程／モジュール関連テーブルの説明である。図４（ｅ）において、工程／モジュール関連テーブルには、工程とモジュールが設けてある。ここで、例えば、工程２はモジュール１、すなわちＲＡＯコンソール（図４（ｄ）のモジュールテーブルのモジュールＩＤの１参照）のプログラム（処理）を使用することを示している。また、工程３はモジュール２、すなわち一括エンコーダ（図４（ｄ）のモジュールテーブルのモジュールＩＤの２参照）のプログラムを使用することを示している。
【００５４】
（ｆ）作業者テーブルの説明
図５はテーブルの説明図（２）であり、図５（ａ）は作業者テーブルの説明である。図５（ａ）において、作業者テーブルには、作業者ＩＤと作業者名が設けてある。例えば、作業者ＩＤのＣＰＯ１の作業者名はＡであり、作業者ＩＤのＣＰＯ２の作業者名はＢであることを示している。
【００５５】
（ｇ）作業区分テーブルの説明
図５（ｂ）は作業区分テーブルの説明である。図５（ｂ）において、作業区分テーブルには、作業区分ＩＤと区分が設けてある。ここで作業区分ＩＤの１は手作業、作業区分ＩＤの２はソフト（プログラム）示している。
【００５６】
（ｈ）設備テーブルの説明
図５（ｃ）は設備テーブルの説明である。図５（ｃ）において、作業を行う場所を示す設備テーブルには、設備ＩＤ、設備名称、用途が設けてある。例えば、設備ＩＤの１は、設備名称はメール端末であり、用途が発行指示メール、印刷情報添付ファイル取得用であることを示している。また、設備ＩＤの２は、設備名称はＲＡＯ−Ｃ端末であり、用途が証明書データ取得用であることを示している。
【００５７】
（ｉ）作業管理テーブルの説明
図５（ｄ）は作業管理テーブルの説明である。図５（ｄ）において、作業管理テーブルには、作業ＩＤ、手順ＩＤ、工程１開始、工程１完了、工程２開始、工程２完了、・・・工程１０開始、工程１０完了が設けてある。ここで、作業ＩＤの１は、今回の作業を示している、手順ＩＤの１は、工程１〜工程６を行うもの（図４（ｃ）の手順テーブル参照）である。工程の開始、完了（終了）は、それぞれの工程の開始、完了の日時が記録されるものである。また、この作業管理テーブルは、例えば、工程２が完了していない時に工程３の開始をすると、工程２が終わっていない表示（アラーム）を行う等の手順管理にも使用される。
【００５８】
（ｊ）作業記録グルーピングテーブルの説明
図５（ｅ）は作業記録グルーピングテーブルの説明である。図５（ｅ）において、記録を作成するための様式を決定するためのテーブルである作業記録グルーピングテーブルには、グループＩＤ、名称、所属工程１、所属工程２、所属工程３・・・所属工程１０が設けてある。ここで例えば、グループＩＤの１は、メール受信という記録であり、所属工程１は１であるため工程１の開始と終了の時刻をもとに、工程内容、作業区分、実施者、確認者、設備等が記録される。また、グループＩＤの２は、証明書データ取得という記録であり所属工程が二つあり、所属工程１は２であるため工程２の証明書ファイルの取得の開始と終了の時刻を元にした記録と、所属工程２は３であるため工程３のＰＩＮファイルの取得の開始と終了の時刻を元にした記録とが作成される。
【００５９】
（４）：各モジュールの処理の説明
（ａ）個別記録モジュールの処理の説明
図６は個別記録モジュールの処理フローチャートである。以下、図６の処理Ｓ１〜Ｓ４に従って個別記録モジュールの処理の説明をする。
【００６０】
Ｓ１：操作者が個別記録モジュールを起動する。
【００６１】
Ｓ２：操作者が工程の開始時刻を個別記録モジュールに入力する。これはカレンダーより日付を選択すると個別記録モジュールがＰＣクロックより時刻を取得し日付／時刻を作業管理テーブルへ記録する。
【００６２】
Ｓ３：操作者が工程の終了時刻を個別記録モジュールに入力する。これはカレンダーより日付を選択すると個別記録モジュールがＰＣクロックより時刻を取得し日付／時刻を作業管理テーブルへ記録する。
【００６３】
Ｓ４：操作者が個別記録モジュールを終了する。
【００６４】
（ｂ）監視モジュールの処理の説明
図７は監視モジュールの処理フローチャートである。以下、図７の処理Ｓ１１〜Ｓ１３に従って監視モジュールの処理の説明をする。
【００６５】
Ｓ１１：監視モジュールがＰＣ電源ＯＮ時に自動的に起動される。
【００６６】
Ｓ１２：該当工程で使用される対象ソフトを工程／モジュール関連テーブルから取得し、操作者により対象ソフトが起動されるとそれを検知し、起動時刻をＰＣクロックより取得し工程開始時刻として作業管理テーブルへ記録する。
【００６７】
Ｓ１３：同様に、操作者により対象ソフトが停止されるとそれを検知し、停止時刻をＰＣクロックより取得して工程終了時刻として作業管理テーブルへ記録する。
【００６８】
（ｃ）記録作成モジュールの処理の説明
図８は記録作成モジュールの処理フローチャートである。以下、図８の処理Ｓ２１〜Ｓ２５に従って記録作成モジュールの処理の説明をする。
【００６９】
Ｓ２１：管理者が記録作成モジュールを起動する。
【００７０】
Ｓ２２：管理者による依頼画面からの作業記録出力を受け付ける。
【００７１】
Ｓ２３：作業記録テーブルや作業記録グルーピングテーブル等の関連テーブルから必要なデータを取得、整形し、作業記録を出力する。
【００７２】
Ｓ２４：作業記録の出力の際に、署名モジュール及びタイムスタンプモジュールを呼出し、作業記録への署名とタイムスタンプを付与する。
【００７３】
Ｓ２５：管理者が記録作成モジュールを終了する。
【００７４】
（ｄ）署名モジュールの処理の説明
図９は署名モジュールの処理フローチャートである。以下、図９の処理Ｓ３１〜Ｓ３３に従って署名モジュールの処理の説明をする。
【００７５】
Ｓ３１：記録作成モジュールからの呼び出しで起動される。
【００７６】
Ｓ３２：操作者がＩＣカード等のトークンから自己の秘密鍵を取り出し、作業記録電子データに対し署名を行なう。
【００７７】
Ｓ３３：署名処理終了後、呼出し元の記録作成モジュールへ制御を返す。
【００７８】
（ｅ）タイムスタンプモジュールの処理の説明
図１０はタイムスタンプモジュールの処理フローチャートである。以下、図１０の処理Ｓ４１〜Ｓ４４に従ってタイムスタンプモジュールの処理の説明をする。
【００７９】
Ｓ４１：記録作成モジュールからの呼び出しで起動される。
【００８０】
Ｓ４２：インターネット等のネットワークの接続により公的なタイムスタンプ認証局へタイムスタンプ取得依頼を行なう。
【００８１】
Ｓ４３：タイムスタンプ認証局よりタイムスタンプ付与済の作業記録電子データを受信する。
【００８２】
Ｓ４４：タイムスタンプ取得後、呼出し元の記録作成モジュールへ制御を返す。
【００８３】
以上のように、本発明によれば、工程完了をツールが認識し自動的に記録を作成できる。このため、１サイクル所要時間が従来の約４０分間から約１５分間に短縮できる。また、ＯＳ機能によるデータ保護から作業者運用証明書で暗号化するため、システム運用、操作性が向上できる。さらに、作業記録が紙から電子ファイルで保管でき、保管スペースが不要となる。
【００８４】
（５）：プログラムインストールの説明
監視モジュール１、工程監視手段１ａ、個別記録モジュール２、３、記録作成モジュール５、記録作成手段５ａ、署名モジュール６、タイムスタンプモジュール７等はプログラムで構成でき、主制御部（ＣＰＵ）が実行するものであり、主記憶に格納されているものである。このプログラムは、コンピュータで処理されるものである。このコンピュータは、主制御部、主記憶、ファイル装置、表示装置等の出力装置、入力装置、非接触型Ｒ／Ｗ部などのハードウェアで構成されている。
【００８５】
このコンピュータに、本発明のプログラムをインストールする。このインストールは、フロッピィ、光磁気ディスク等の可搬型の記録（記憶）媒体に、これらのプログラムを記憶させておき、コンピュータが備えている記録媒体に対して、アクセスするためのドライブ装置を介して、或いは、ＬＡＮ等のネットワークを介して、コンピュータに設けられたファイル装置にインストールされる。
【図面の簡単な説明】
【００８６】
【図１】本発明の原理説明図である。
【図２】本発明の実作業の説明図である。
【図３】本発明の業務モデルと認証業務記録作成装置の説明図である。
【図４】本発明のテーブルの説明図（１）である。
【図５】本発明のテーブルの説明図（２）である。
【図６】本発明の個別記録モジュールの処理フローチャートである。
【図７】本発明の監視モジュールの処理フローチャートである。
【図８】本発明の記録作成モジュールの処理フローチャートである。
【図９】本発明の署名モジュールの処理フローチャートである。
【図１０】本発明のタイムスタンプモジュールの処理フローチャートである。
【図１１】従来例の説明図である。
【符号の説明】
【００８７】
１ａ  工程監視手段
５ａ  記録作成手段
４ａ  格納手段
【図１】
2006113933.tif 000003
【図２】
2006113933.tif 000004
【図３】
2006113933.tif 000005
【図４】
2006113933.tif 000006
【図５】
2006113933.tif 000007
【図６】
2006113933.tif 000008
【図７】
2006113933.tif 000009
【図８】
2006113933.tif 000010
【図９】
2006113933.tif 000011
【図１０】
2006113933.tif 000012
【図１１】
2006113933.tif 000013